(57)【特許請求の範囲】
【請求項１】
第一の端、第二の端、および第一の端と第二の端の間に位置する頸部冷却または頸部加熱領域を含んだ一次バンドであって、頸部冷却または頸部加熱領域はそれに結合された組織冷却または組織加熱材料を有するものと、
頸部冷却または頸部加熱領域の対向するサイド上の一次バンドのセクションを結合するように適応されたクロス部材、を含み、
第一の端は第一の留め具を含み、第二の端は第二の留め具を含み、第一および第二の留め具は、一次バンドが部分的に個人の頸部を取り囲むように、個人の胴体または腰上の衣類に結合するように適応されている、
頸部冷却または加熱装置。
【請求項２】
衣類は個人の腰にある、請求項１の頸部冷却または加熱装置。
【請求項３】
クロス部材は回転可能である、請求項１の頸部冷却または加熱装置。
【請求項４】
クロス部材は３６０度回転する、請求項３の頸部冷却または加熱装置。
【請求項５】
クロス部材は一次バンドに可逆的に結合されている、請求項１の頸部冷却または加熱装置。
【請求項６】
少なくとも１つの二次バンドであって、二次バンドは一次バンドと個人の胴体または腰上の衣類に結合されているもの、を更に含む、請求項１の頸部冷却または加熱装置。
【請求項７】
一次バンドは、ポリアミド、ポリエステル、ナチュラルファイバー、またはエラストマー材料、あるいはそれらの組み合わせからなる、請求項１の頸部冷却または加熱装置。
【請求項８】
エラストマー材料は、ネオプレン、スチレンブタジエンゴム、またはそれらの組み合わせからなる、請求項７の頸部冷却または加熱装置。
【請求項９】
一次バンドは、エラストマーコアと織られた布地外面からなる、請求項１の頸部冷却または加熱装置。
【請求項１０】
一次バンドの表面は、１つ以上の突起または畝を更に含む、請求項１の頸部冷却または加熱装置。
【請求項１１】
第一の端、第二の端、および第一の端と第二の端の間に位置する頸部冷却または頸部加熱領域を含んだ一次バンドを提供することと、
組織冷却または組織加熱材料を頸部冷却または頸部加熱領域に結合することと、
組織冷却または組織加熱材料を個人の頸部に隣接して位置させることと、
一次バンドが部分的に個人の頸部を取り囲むように、一次バンドの第一の端と第二の端を個人の胴体または腰の周りの衣類に結合することと、
頸部冷却または頸部加熱領域の対向するサイド上の一次バンドのセクションをクロス部材で結合することによって、個人の頸部に隣接した一次バンドを締めるかまたは緩めることと、
を含む個人の頸部を加熱または冷却する方法。
【請求項１２】
衣類は個人の腰にある、請求項１１の方法。
【発明の詳細な説明】
【技術分野】
【０００１】
[関連米国出願]本出願は、２００８年９月２５日に出願された米国仮特許出願シリアル番号61/100,076への35U.S.C.§119(e)の下での優先権を主張し、それはその全体がここに引用によって組み込まれる。
【０００２】
本発明は、人体の一部を冷却または加熱するための装置と方法に関し、特に、頸部を冷却または加熱するための装置と方法に関する。
【背景技術】
【０００３】
温熱および冷涼パックは、一般的に筋挫傷、筋肉痛および組織の腫れを含んだ様々な不快症状を緩和するために人体の様々なエリアに適用される。しかも、温熱および冷涼パックはまた、寒い環境において個人を温かく保つことや、熱に関連した苦痛を経験している個人の体の１つ以上の部分を冷やすことのような、一般的な快感のためにも使われる。
【０００４】
温熱および冷涼パックの実効性と利便性を最大化するために、温熱または冷涼パックをその位置に保持するのにラップのような数々の装置が開発されている。脚ラップ、胴体ラップおよび手首ラップは、温熱または冷涼パックを望ましい位置に保持するための一般的な装置である。それらに加えて、個人の頸部の周りに温熱または冷涼パックを位置させるために頸部ラップも開発されている。
【０００５】
頸部は、温熱または冷涼パックの適用から大いに恩恵をうけることができるますます敏感なエリアである。個人の頸部の周りに温熱または冷涼パックを位置させるための現在利用可能な装置は、しかしながら、個人の動きを顕著に制約し得て、一般的に心地良くない。例えば米国特許第5,295,949号は、カラーのようにユーザの頸部を取り囲むかまたは囲い込む頸部装置を提供する（例えば、図７）。そのような配置は、頭および首の動きに対して制約的であり、もし外力によって引っ張られると怪我に結果としてなり得る。結果として、頸部を取り囲む頸部装置は、接触のあるスポーツの運動選手や頸部装置が引っ張られる危険のあるその他の個人によっては使われることができない。更に、取り囲む頸部装置は、顕著な不快感を経験すること無しに長い期間の間装着することができない。
【発明の概要】
【０００６】
本発明は、頭と首の動きを制約するという前述の不利点と以前の装置と関連付けられていた一般的な不快感無しに、頸部上に温熱または冷涼パックを位置させるように動作可能な頸部装置を提供する。本発明の頸部装置の非制約的な性質は、商業的応用、娯楽的応用および治療的応用を含んだ様々な応用での使用を許容する。しかも、本発明の頸部装置は、いくつかの実施形態では、頸部を完全に取り囲んだり囲い込んだりせず、それにより運動競技またはその他の接触のある状況において装置が装着されることを許容する。
【０００７】
１つの側面では、本発明は、第一の端、第二の端、および第一の端と第二の端の間に位置する頸部冷却または頸部加熱領域からなる一次バンドであって、頸部冷却または頸部加熱領域はそれに結合された組織冷却または組織加熱材料を有するもの、からなる頸部冷却または加熱装置を提供する。一次バンドの第一の端は第一の留め具からなり、一時バンドの第二の端は第二の留め具からなり、第一および第二の留め具は、個人の胴体または腰上の衣類に結合するように適応されている。いくつかの実施形態では、一次バンドは個人の頸部を囲い込まずに部分的にだけ個人の頸部を取り囲む。
【０００８】
別の側面では、本発明は、第一の端、第二の端、および第一の端と第二の端の間に位置する頸部冷却または頸部加熱領域からなる一次バンドを提供することと、組織冷却または組織加熱材料を頸部冷却または頸部加熱領域に結合することと、組織冷却または組織加熱材料を個人の頸部に隣接して位置させることと、一次バンドの第一の端と第二の端を個人の胴体または腰上の衣類に結合することと、からなる個人の頸部を冷却または加熱する方法を提供する。いくつかの実施形態では、一次バンドは個人の頸部を囲い込まずに部分的にだけ個人の頸部を取り囲む。
【０００９】
本発明のこれらおよびその他の実施形態が、以下に続く詳細な記載においてより詳細に記載される。
【図面の簡単な説明】
【００１０】
【図１】図１は、本発明の一実施形態による頸部冷却または頸部加熱装置の斜視図である。
【図２】図２は、本発明の一実施形態による個人の頸部に適用された頸部冷却または頸部加熱装置の正面図である。
【図３】図３は、個人の腰上の衣類にしっかり取り付けられた頸部冷却または頸部加熱装置の一次バンドの第一の端の斜視図である。
【図４】図４は、本発明の一実施形態による個人の頸部に適用された頸部冷却または頸部加熱装置の斜視図である。
【図５】図５は、本発明の一実施形態による個人の頸部に適用された頸部冷却または頸部加熱装置の斜視図である。
【図６】図６は、本発明の一実施形態による個人の頸部に適用された頸部冷却または頸部加熱装置の背面図である。
【発明を実施するための形態】
【００１１】
本発明は、頭と首の動きを制約するという前述の不利点と以前の装置と関連付けられていた一般的な不快感無しに、個人の頸部上に温熱または冷涼パックを位置させるように動作可能な頸部装置を提供する。本発明の頸部装置の非制約的な性質は、商業的応用、娯楽的応用および治療的応用を含んだ様々な応用での使用を許容する。しかも、本発明の頸部装置は、いくつかの実施形態では、頸部を完全に取り囲んだり囲い込んだりせず、それにより運動競技またはその他の接触のある状況において装置が装着されることを許容する。
【００１２】
一実施形態では、本発明は、第一の端、第二の端、および第一の端と第二の端の間に位置する頸部冷却または頸部加熱領域からなる一次バンドであって、頸部冷却または頸部加熱領域はそれに結合された組織冷却または組織加熱材料を有するもの、からなる頸部冷却または加熱装置を提供する。一次バンドの第一の端は第一の留め具からなり、一時バンドの第二の端は第二の留め具からなり、第一および第二の留め具は、個人の胴体または腰上の衣類に結合するように適応されている。いくつかの実施形態では、一次バンドは個人の頸部を囲い込まない。頸部を囲い込まないことで、いくつかの実施形態では、一次バンドは、組織冷却または組織加熱材料を頸部の後部および／または側部に提供するように、頸部の後部および／または側部に接触する。
【００１３】
ここで図を参照すると、図１は、本発明の一実施形態による頸部冷却または頸部加熱装置の一次バンドの斜視図を描いている。図１に描かれているように、頸部冷却または頸部加熱装置（１００）の一次バンド（１０２）は、第一の端（１０４）と第二の端（１０６）を有する材料の１つの連続したピースからなる。頸部冷却または頸部加熱領域（１０８）が、一次バンド（１０２）の第一の端（１０４）と第二の端（１０６）の間に位置する。他の実施形態では、一次バンドは材料の１つの連続したピースではない。一実施形態では、例えば、一次バンドは、縫い合わされたかそうでなければ結合された材料の複数の個別のピースからなる。
【００１４】
使用時には、組織冷却材料（図示せず）または組織加熱材料（図示せず）は頸部冷却または頸部加熱領域（１０８）に結合されている。いくつかの実施形態では、組織冷却または組織加熱材料は、少なくとも１つのフックおよびループ留め具配列によって一次バンドの頸部冷却または頸部加熱領域（１０８）に結合されている。典型的なフックおよびループ留め具は、いくつかの実施形態では、ＶＥＬＣＲＯ（登録商標）またはアンブレーカブルループバッキング（ＵＢＬ）からなる。他の実施形態では、組織冷却または組織加熱材料は、ジッパー配列によって頸部冷却または頸部加熱領域（１０８）に結合されている。いくつかの実施形態では、一次バンド（１０２）の頸部冷却または頸部加熱領域（１０８）は、その中に組織冷却または組織加熱材料が配置されたポーチ（図示せず）からなる。ポーチの壁面は、いくつかの実施形態では、可変な厚みを有し、それにより組織冷却または組織加熱材料から受け取る頸部の冷却または加熱組織の量を適合させることをユーザに許容する。
【００１５】
いくつかの実施形態では、組織冷却または組織加熱材料は可逆的に一次バンド（１０２）に結合されている。可逆的に結合されることで、組織冷却または組織加熱材料は、個人によってあらゆる望ましい時に新鮮な組織冷却または組織加熱材料で置き換えられることができる。
【００１６】
図１に描かれた実施形態では、一次バンド（１０２）は更に、フランジまたは舌（１１０）からなる。フランジ（１１０）は、個人による使用時に一次バンド（１０２）の頸部冷却または頸部加熱領域（１０８）を適切な位置に保持することを補助することができる。フランジ（１１０）は、頸部冷却又は頸部加熱領域（１０８）の適切な位置を維持するのを補助するように個人のシャツまたはその他の衣類の下に挿入されることができる。フランジ（１１０）は、円形、半円形、楕円形、三角形、正方形、長方形、台形またはあらゆるその他の多角形を含んだあらゆる望ましい形状を有することができる。
【００１７】
図１に描かれた一次バンド（１０２）の第一の端（１０４）は第一の留め具（１１２）からなり、一次バンド（１０２）の第二の端（１０６）は第二の留め具（１１４）からなる。第一（１１２）および第二（１１４）の留め具は、頸部冷却または頸部加熱装置（１００）を使って個人の胴体または腰上の衣類にしっかり取り付けるように動作可能である。第一（１１２）および第二（１１４）の留め具は、当業者に知られているあらゆるしっかり取り付ける手段からなることができる。一実施形態では、例えば、第一（１１２）および第二（１１４）の留め具は、クランプまたはクリップからなる。別の実施形態では、第一（１１２）および第二（１１４）の留め具はフックおよびループ留め具、ボタンまたはスナップ配列からなる。
【００１８】
図１に表示された一時バンド（１０２）は更に、クロス部材（１１６）からなる。クロス部材（１１６）は、頸部冷却または頸部加熱領域（１０８）の１つのサイド上の一次バンド（１０２）のセクションを、頸部冷却または頸部加熱領域（１０８）の反対のサイド上の一次バンド（１０２）のセクションと結合するように適応されている。頸部冷却または頸部加熱領域（１０８）の対向するサイド上の一次バンド（１０２）のセクションを結合するように動作可能であることで、クロス部材は、いくつかの実施形態では、一次バンド（１０２）を締めたり緩めたりすることができ、それにより個人の頸部上での頸部冷却または頸部加熱領域（１０８）の適切な位置付けを維持するのを補助する。いくつかの実施形態では、クロス部材は、少なくとも１つのフックおよびループ留め具配列によって一次バンドの対向するサイドを結合する。しかも、いくつかの実施形態では、クロス部材（１１２）は、一次バンド（１０２）に対して３６０度回転するように動作可能である。
【００１９】
クロス部材（１１６）は、本発明の目的と不整合ではないあらゆる手段によって一次バンド（１０２）に結合されることができる。いくつかの実施形態では、クロス部材（１１６）は、スナップ配列によって一次バンド（１０２）に結合される。スナップ配列は、いくつかの実施形態では、一次バンド（１０２）に対する３６０度の一次バンドの回転を容易にすることができる。別の実施形態では、クロス部材（１１６）はボタン配列によって一次バンド（１０２）に結合されることができる。
【００２０】
クロス部材（１１６）は、いくつかの実施形態では、一次バンド（１０２）に可逆的に結合されている。可逆的に結合されることで、クロス部材（１１６）は一次バンド（１０２）から取り外されることができる。
【００２１】
いくつかの実施形態では、一次バンド（１０２）の表面は更に、個人の頸部上の望ましい位置における組織冷却または組織加熱材料の位置付けを容易にするように動作可能な１つ以上の隆起、突起または畝（図示せず）からなる。いくつかの実施形態では、１つ以上の隆起、突起または畝は、頸部冷却または頸部加熱領域（１０８）中に配置されている。
【００２２】
図２は、本発明の一実施形態による個人の頸部に適用された図１の一次バンド（１０２）の正面図である。図２に描かれているように、一次バンド（１０２）の第一の端（１０４）と第二の端（１０６）は、第一および第二の留め具（１１２、１１４）によって個人の腰上の衣類（２０２）にしっかり取り付けられており、衣類はパンツまたはショーツの腰線からなる。クロス部材（１１６）は、頸部冷却または頸部加熱領域（１０８）の対向するサイド上の一次バンド（１０２）のセクションを結合する。ここに提供されるように、クロス部材（１１６）は、いくつかの実施形態では、個人の頸部の後部および／または側部に沿って一次バンド（１０２）を締めたり緩めたりして、それにより個人の頸部上の頸部冷却または頸部加熱領域（１０８）の適切な位置付けを維持するのを補助する。加えて、図２に描かれた実施形態では、一次バンド（１０２）は個人の頸部を完全に取り囲んだり囲い込んだりしない。しかも、クロス部材（１１６）の使用は個人の頸部を完全に取り囲んだり囲い込んだりしない。
【００２３】
組織冷却または組織加熱材料（図示せず）は、頸部冷却または頸部加熱領域（１０８）に結合されており、個人の皮膚と一次バンド（１０２）の間に在駐する。
【００２４】
図３は、個人の腰の周りの衣類に第一の留め具（１１２）によってしっかり取り付けられた図１に描かれた一次バンド（１０２）の第一の端（１０４）の斜視図である。図３に示された実施形態での第一の留め具（１１２）は、クランプからなる。クランプは、それを通して一次バンド（１０２）が引かれているループ（図示せず）によって一次バンド（１０２）の第一の端（１０４）に結合されている。一次バンド（１０２）はその後少なくとも１つのフックおよびループ配列を通してそれ自身に戻ってしっかり留められる。ループによって一次バンド（１０２）と係合している留め具は、いくつかの実施形態では、一次バンド（１０２）の長さの調節を容易にし、それにより個人の体上の一次バンド（１０２）の適切なフィットを提供する。ループによって一次バンド（１０２）と係合している留め具は、いくつかの実施形態では、変動するサイズの個人にフィットするために、一次バンドの張力の調節を容易にする。ループと個人の体の間の摩擦から結果として起こる痒みを防止するために、第一の留め具（１１２）のループの上にパディング（３０２）が設けられている。
【００２５】
図４は、本発明の一実施形態による個人の頸部に適用された図１の一次バンド（１０２）の斜視図である。図２に描かれたものと同様に、一次バンド（１０２）の第一の端（１０４）と第二の端（１０６）は、第一および第二の留め具（１１２、１１４）によって個人の胴体または腰上の衣類にしっかり取り付けられており、衣類はパンツまたはショーツの腰線からなる。クロス部材（１１６）は、頸部冷却または頸部加熱領域（１０８）の対向するサイド上の一次バンド（１０２）のセクションを結合する。
【００２６】
図５は、本発明の一実施形態による個人の頸部に適用された図１の一次バンド（１０２）の斜視図である。図５に描かれているように、一次バンドの頸部冷却または頸部加熱領域（１０８）は、個人の頸部の後部に沿って位置付けされている。組織冷却または組織加熱材料（図示せず）は、頸部冷却または頸部加熱領域（１０８）に結合されており、個人の皮膚と一次バンド（１０２）の間に在駐する。フランジ（１１０）が、シャツのような個人によって装着されている衣類（図示せず）の下に在駐するように、頸部冷却または頸部加熱領域（１０８）から伸び下がっている。フランジ（１１０）は、いくつかの実施形態では、頸部冷却または頸部加熱領域を適切な位置に保持するのを補助する。
【００２７】
図６は、本発明の一実施形態による個人の頸部に適用された図１の一次バンド（１０２）の背面図である。図５と同様に、一次バンドの頸部冷却または頸部加熱領域（１０８）は、個人の頸部の後部に沿って位置付けされている。フランジ（１１０）が、シャツのような個人によって装着されている衣類（図示せず）の下に在駐するように、頸部冷却または頸部加熱領域（１０８）から伸び下がっている。
【００２８】
いくつかの実施形態では、本発明の頸部装置は更に、少なくとも一つの二次バンドからなり、二次バンドは第一の端と第二の端からなり、第一の端は一次バンドと結合されており、第二の端は個人の胴体または腰上の衣類に結合されている。二次バンドは、いくつかの実施形態では、頸部装置を更に安定化させて個人の頸部に沿った頸部冷却または頸部加熱領域の適切な位置を維持するのを補助する。もう一度図６を参照すると、二次バンド（図示せず）の第一の端は、一実施形態では、二次バンドの第二の端が個人上の衣類に結合されたまま、一次バンド（１０２）のフランジ（１１０）に結合することができる。
【００２９】
しかも、いくつかの実施形態では、組織冷却または組織加熱材料は、頸部冷却または頸部加熱領域の外側のエリアで一次バンドに結合されることができる。一実施形態では、例えば、組織冷却材料または組織加熱材料は、頸部冷却または頸部加熱領域とバンドの第一または第二の端の間で一次バンドの表面に結合される。
【００３０】
図１−６に描かれているように、本発明の頸部装置は使用時に個人の頸部を囲い込まない。しかも、頸部装置は頭、首、背中または腕の動きを実質的に制約せず、それにより動きの完全な自由を許容する。これらの有利な性質の結果として、本発明の頸部装置は幅広い様々な分野において応用を見つける。商業的労働者は、例えば、暑いかまたは寒い仕事条件からの緩和を達成するように仕事をしながら本発明の頸部装置を利用することができる。加えて、運動選手は競技会中に本発明の頸部装置を使うことができる。ここに提供されるように、いくつかの実施形態では、本発明の頸部装置は頸部を囲い込まず、接触のあるスポーツでの使用を許容する。更には、もし本発明の頸部装置が外力によって引っ張られれば、装置は一次バンドの第一または第二の端において個人の衣類から離脱することができる。
【００３１】
本発明の頸部装置の一次バンドは、あらゆる望ましい材料から構築されることができる。いくつかの実施形態では、一次バンドは、ゴムを含むがそれに限定はされないエラストマー材料で構築される。一実施形態では、例えば、一次バンドはネオプレンまたはスチレンブタジエンゴム（ＳＢＲ）で構築される。
【００３２】
いくつかの実施形態では、一次バンドは積層材料からなる。一実施形態では、一次バンドは布地で被覆されたネオプレンまたはＳＢＲコアからなる。ネオプレンコアを被覆するための好適な布地は、いくつかの実施形態では、ポリアミド（ナイロン）、ポリエステル、スパンデックス、フリース、ナチュラルファイバー、ＵＢＬまたはその他のフックおよびループ材料からなる。いくつかの実施形態では、布地は織られているかまたは織られていない。いくつかの実施形態では、頸部装置の一次バンドは、ＵＢＬまたはその他のフックおよびループ材料によって被覆された第一のサイドと、ポリアミド、ポリエステル、ナチュラルファイバー、スパンデックスまたはフリース材料からなる布地によって被覆された対向するサイドを有するネオプレンまたはＳＢＲコアからなる。
【００３３】
いくつかの実施形態では、一次バンドの外部表面は更に、ロゴまたはその他の公告および／または情報からなる。一実施形態では、例えば、一次バンドの表面は、その労働者が頸部装置を利用する会社のコマーシャルロゴまたはその他の情報からなる。別の実施形態では、一次バンドの表面は、そのプレーヤーが頸部装置を利用するアスレティックフランチャイズのロゴまたはその他の情報からなる。
【００３４】
いくつかの実施形態では、一次バンドは、本発明の目的と不整合ではないあらゆる望ましい厚さを有することができる。いくつかの実施形態では、一次バンドは、およそ１０ｍｍより小さいかまたはおよそ５ｍｍより小さい厚さを有する。その他の実施形態では、頸部装置の一次バンドは、およそ１ｍｍからおよそ５ｍｍまでの範囲にある厚さを有する。更なる実施形態では、一次バンドは、およそ１０ｍｍより大きいかまたはおよそ１ｍｍより小さい厚さを有する。
【００３５】
いくつかの実施形態では、一次バンドは、本発明の目的と不整合ではないあらゆる望ましい幅を有することができる。いくつかの実施形態では、一次バンドは、可変な幅を有する。一実施形態では、例えば、第一および／または第二の端における一次バンドの幅は、頸部冷却または頸部加熱領域における一次バンドの幅よりも小さい。いくつかの実施形態では、一次バンドは、第一および／または第二の端において少なくとも２．５ｃｍの幅を有する。その他の実施形態では、一次バンドは、第一および／または第二の端において少なくとも３．８ｃｍの幅を有する。
【００３６】
いくつかの実施形態では、一次バンドは、およそ０．５パウンドより少ない重量を有する。その他の実施形態では、頸部装置の一次バンドはおよそ０．３パウンドより少ないかまたはおよそ０．２パウンドより少ない重量を有する。更なる実施形態では、一次バンドは、およそ０．５パウンドより多いかまたは０．２パウンドより少ない重量を有する。
【００３７】
本発明の頸部装置での使用のために好適な組織冷却および組織加熱材料は、当業者には周知である。いくつかの実施形態では、組織冷却または組織加熱材料は、ハイドロゲルを含むがそれに限定はされないゲルからなる。別の実施形態では、組織冷却または組織加熱材料は、その中に可溶化されたかまたは拡散された適当な溶質を有する水溶液からなる。いくつかの実施形態では、組織冷却または組織加熱材料は、固体状態の材料からなる。組織冷却または組織加熱材料をカプセル化するために好適な容器は、当業者に周知である。いくつかの実施形態では、組織冷却または組織加熱材料のための容器は、ポリエチレンおよびポリプロピレンを含んだポリオレフィンのようなポリマー材料からなる。
【００３８】
いくつかの実施形態では、組織冷却または組織加熱材料は、個別の区画または容器の直線的なアレイ中に配置されている。別の実施形態では、組織冷却または組織加熱材料は、個別の区画または容器の２次元的アレイ中に配置されている。一実施形態では、２次元的アレイ冷却または加熱パッケージの個別の区画の少なくとも１つは、個人の頸部上の頸部冷却または加熱装置の望ましい位置を容易にするための畝またはこぶとしての役目を果たすことができる。しかも、いくつかの実施形態では、組織冷却または加熱材料のための容器または区画は、頸部の輪郭または曲率に実質的に従う予め形成された形状を有する。その他の実施形態では、組織冷却または加熱材料のための容器または区画は、頸部の輪郭または曲率に適合するように柔軟である。
【００３９】
いくつかの実施形態では、組織冷却または組織加熱材料は、およそ０．５パウンドより少ない重量を有する。その他の実施形態では、頸部装置の組織冷却または組織加熱材料は、およそ０．３パウンドより少ないかまたはおよそ０．２パウンドより少ない重量を有する、更なる実施形態では、組織冷却または組織加熱材料は、およそ０．５パウンドより多いかまたはおよそ０．２パウンドより少ない重量を有する。
【００４０】
別の側面では、本発明は、第一の端、第二の端、および第一の端と第二の端の間に位置する頸部冷却または頸部加熱領域からなる一次バンドを提供することと、組織冷却または組織加熱材料を頸部冷却または頸部加熱領域に結合することと、頸部冷却または頸部加熱材料を個人の頸部に隣接して位置させることと、一次バンドの第一の端と第二の端を個人の胴体または腰の周りの衣類に結合することと、からなる個人の頸部を加熱または冷却する方法を提供する。いくつかの実施形態では、一次バンドは個人の頸部を囲い込まない。
【００４１】
いくつかの実施形態では、個人の頸部を冷却または加熱する方法は更に、頸部冷却または頸部加熱領域の対向するサイド上の一次バンドのセクションをクロス部材で結合することによって、個人の頸部に隣接した一次バンドを締めるかまたは緩めることからなる。
【００４２】
発明の様々な目的を成就するのに発明の様々な実施形態が記載された。これらの実施形態は本発明の原理を単に描写するものであることが認識されるべきである。数々の変形やそれらの適応が、本発明の精神と範囲から逸脱することなく、当業者には容易に明らかであろう。
【図１】
0005460718.tif 000002
【図２】
0005460718.tif 000003
【図３】
0005460718.tif 000004
【図４】
0005460718.tif 000005
【図５】
0005460718.tif 000006
【図６】
0005460718.tif 000007